【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
ネットワークと、前記ネットワークに接続された電子貨幣発行手段と、前記ネットワークに接続された商品給付契約手段と、前記ネットワークに接続された電子貨幣行使手段とからなる電子通貨システムであって、
前記電子貨幣行使手段は、貨幣の電子的象徴である電子貨幣の発行請求権を表す請求権情報を入力して、前記請求権情報を、前記ネットワークを介して前記貨幣行使手段に前記請求権情報の提示を行い、所定の価額の前記電子貨幣の発行の請求を行う電子貨幣発行請求手段を備え、
前記電子貨幣発行手段は、前記電子貨幣行使手段からの前記請求権情報の提示及び前記電子貨幣の発行の請求を入力し、前記請求権情報が前記所定の価額以上の額の前記電子貨幣の発行請求権を象徴するものであるか否かを判別し、象徴するものであると判別したときに、前記所定の価額の前記電子貨幣を生成して、前記電子貨幣行使手段に出力する電子貨幣発行手段を備え、
前記電子貨幣行使手段は更に、前記所定の価額の前記電子貨幣を受領して保存し、前記商品供給手段に前記電子貨幣の提示を行い、商品の給付の契約の締結の申込を行う取引申込手段を備え、
前記商品給付契約手段は、前記電子貨幣行使手段からの前記電子貨幣の提示及び前記契約の締結の申込を入力し、提示された前記電子貨幣の総額が前記申込の対象である前記商品の価格以上であるか否かを判別し、前記商品の価格以上であると判別されたとき、前記商品の価格に相当する額の前記電子貨幣を受領し、前記申込を承諾する取引承諾手段を備える、
ことを特徴とする電子通貨システム。
【請求項２】
電子貨幣発生部と、商品提供部と、電子貨幣保存部と、ネットワークとからなり、
前記電子貨幣発生部と、前記商品提供部と、前記電子貨幣保存部とは、前記ネットワークを介して互いに接続され、
前記電子貨幣保存部は、所定の限度額以下の額を表す情報からなる電子貨幣の発生を要求する識別符号を前記電子貨幣発生部に送って、前記電子貨幣発生部に前記額を表す前記電子貨幣の発生を要求し、
前記電子貨幣発生部は、入力した前記識別符号に基づいて、前記額を表す前記電子貨幣を発生するか否かを決定し、発生すると決定したときに、前記額を表す前記電子貨幣を発生して前記電子貨幣保存部に送り、
前記電子貨幣保存部は更に、前記額を表す前記電子貨幣を受領して保存し、前記商品部に商品の提供の申込の通知と、保存している前記電子貨幣の情報を送り、
前記商品提供部は、入力した前記申込の通知及び前記電子貨幣が表す額に基づいて、前記申込を承諾するか否かを決定し、承諾すると決定したとき、承諾の通知を前記電子貨幣保存部に送り、前記電子貨幣保存部より、前記商品の対価に相当する額を表す前記電子貨幣を受領する、
ことを特徴とする電子通貨システム。
【請求項３】
情報発生部と、商品提供部と、情報保存部と、ネットワークとからなり、
前記情報発生部と、前記商品提供部と、前記情報保存部とは、前記ネットワークを介して互いに接続され、
前記情報保存部は、所定の限度額以下の額を表す情報の発生を要求する識別符号と、商品の提供の申込の通知とを前記商品提供部に送り、
前記商品提供部は、前記申込の通知及び前記識別符号を入力し、入力した前記識別符号を前記情報発生部に送って、前記情報発生部に前記商品の対価に相当する額を表す前記情報の発生を要求し、
前記情報発生部は、入力した前記識別符号に基づいて、前記対価に相当する額を表す前記情報を発生するか否かを決定し、発生すると決定したときに、前記対価に相当する額を表す前記情報を発生して前記商品提供部に送り、
前記商品提供部は、前記対価に相当する額を表す前記情報を受領し、前記申込の通知及び前記対価に相当する額を表す前記情報に基づいて、前記申込を承諾するか否かを決定し、承諾すると決定したとき、承諾の通知を前記情報保存部に送る、
ことを特徴とする電子通貨システム。
【請求項４】
電子貨幣発生部と、複数の電子貨幣交換部と、ネットワークとからなり、
前記電子貨幣発生部と、各前記電子貨幣交換部とは、前記ネットワークを介して互いに接続され、
各前記電子貨幣交換部は、所定の額を表す情報からなる電子貨幣の発生を要求する識別符号を前記電子貨幣発生部に送って、前記電子貨幣発生部に前記額を表す前記電子貨幣の発生を要求し、
前記電子貨幣発生部は、入力した前記識別符号に基づいて、前記額を表す前記電子貨幣を発生するか否かを決定し、発生すると決定したときに、前記額を表す前記電子貨幣を発生して各前記電子貨幣交換部に送り、
各前記電子貨幣交換部は更に、前記額を表す前記電子貨幣を前記電子貨幣発生部より受領して保存し、各前記電子貨幣交換部に、保存している前記電子貨幣を示す情報を送り、各前記電子貨幣交換部より前記電子貨幣を示す情報を入力して、入力した前記電子貨幣を示す情報に基づいて前記電子貨幣を受領するか否かを決定し、受領すると決定したとき、前記電子貨幣を受領する、
ことを特徴とする電子通貨システム。
【請求項５】
外部のネットワークに接続された電子貨幣発行手段と、前記ネットワークに接続された契約手段と、前記ネットワークに接続された１個以上の電子貨幣利用手段とからなる電子通貨システムであって、
前記電子貨幣利用手段のうち少なくとも一つは、貨幣の電子的象徴である電子貨幣の発行請求権を表す権利情報を入力し、前記ネットワークを介して前記電子貨幣発行手段に前記権利情報を提示して、所定の価額の前記電子貨幣の発行の請求を行う電子貨幣発行請求手段を備え、
前記電子貨幣発行手段は、前記電子貨幣利用手段からの前記権利情報の提示及び前記電子貨幣の発行の請求を受け付け、前記権利情報が前記所定の価額以上の額の前記電子貨幣の発行請求権を表すものであるか否かを判別し、表すと判別したときに、前記所定の価額の前記電子貨幣を生成して、前記電子貨幣利用手段に供給する手段を備え、
前記電子貨幣利用手段のうち少なくとも一つは、前記所定の価額の前記電子貨幣を受領して保存し、前記契約手段に前記電子貨幣の提示を行い、商品の給付の契約の締結の申込を行う契約申込手段を備え、
前記契約手段は、
前記電子貨幣利用手段からの前記電子貨幣の提示及び前記契約の締結の申込を検知し、提示された前記電子貨幣のうち、前記商品の価格に相当する額の前記電子貨幣を受領する契約承諾手段と、
前記電子貨幣利用手段より受領した前記電子貨幣の総額が前記商品の価格を超える超過額を計算する手段と、
該超過額を示す情報と、該超過額を超える価額の前記電子貨幣とを前記電子貨幣発行手段に供給する手段と、を備え、
前記電子貨幣発行手段は、前記超過額を超える価額の前記電子貨幣を無効なものとし、前記超過額に実質的に等しい価額の第１の電子貨幣と、無効なものとされた前記電子貨幣の価額と前記超過額との差額に実質的に等しい価額の第２の電子貨幣とを生成して、前記第１及び第２の電子貨幣を前記契約手段に供給する手段を備え、
前記契約手段は、前記第１及び第２の電子貨幣を受領して、前記第２の電子貨幣を前記電子貨幣利用手段に供給する手段を備える、
ことを特徴とする電子通貨システム。
【請求項６】
外部のネットワークに接続された電子貨幣発行手段と、前記ネットワークに接続された契約手段と、前記ネットワークに接続された１個以上の電子貨幣利用手段とからなる電子通貨システムであって、
前記電子貨幣利用手段のうち少なくとも一つは、貨幣の電子的象徴である電子貨幣の発行請求権を表す権利情報を入力し、前記ネットワークを介して前記電子貨幣発行手段に前記権利情報を提示して、所定の価額の前記電子貨幣の発行の請求を行う電子貨幣発行請求手段を備え、
前記電子貨幣発行手段は、前記電子貨幣利用手段からの前記権利情報の提示及び前記電子貨幣の発行の請求を受け付け、前記権利情報が前記所定の価額以上の額の前記電子貨幣の発行請求権を表すものであるか否かを判別し、表すと判別したときに、前記所定の価額の前記電子貨幣を生成して、前記電子貨幣利用手段に供給する手段を備え、
前記電子貨幣利用手段のうち少なくとも一つは、前記所定の価額の前記電子貨幣を受領して保存し、前記契約手段に前記電子貨幣の提示を行い、商品の給付の契約の締結の申込を行う契約申込手段を備え、
前記契約手段は、前記電子貨幣利用手段からの前記電子貨幣の提示及び前記契約の締結の申込を検知し、提示された前記電子貨幣のうち、前記商品の価格に相当する額の前記電子貨幣を受領する契約承諾手段を備え、
前記電子貨幣利用手段は、前記電子貨幣を、総額が該電子貨幣の価額に実質的に等しい複数の価額を表す分割情報と共に前記電子貨幣発行手段に供給する手段を備え、
前記電子貨幣発行手段及び前記契約手段のうち少なくとも一方は、前記分割情報と共に供給された前記電子貨幣を無効なものとし、前記分割情報が示す価額を有する複数の前記電子貨幣を生成して前記電子貨幣利用手段に供給する手段を備える、
ことを特徴とする電子通貨システム。
【請求項７】
前記契約手段は、
前記電子貨幣利用手段より受領した前記電子貨幣の総額が前記商品の価格を超える超過額を計算する手段と、
総額が前記超過額に相当する前記電子貨幣を自らが既に保持しているか否かを判別し、保持していると判別されたとき、総額が該超過額に相当する前記電子貨幣を前記電子貨幣利用手段に供給する手段と、を備える、
ことを特徴とする請求項５又は６に記載の電子通貨システム。
【請求項８】
前記電子貨幣発行手段は、前記電子貨幣利用手段より受け付けた前記権利情報が前記所定の価額を超える額の前記電子貨幣の発行請求権を表すものであるか否かを判別し、超えると判別して以後、該権利情報を、超えると判別される前に表していた価額から前記所定の価額を差し引いた価額の電子貨幣の発行請求権を表すものとして扱う、
ことを特徴とする請求項５、６又は７に記載の電子通貨システム。
【請求項９】
前記契約手段は、前記商品を前記電子貨幣利用手段に供給する手段を備える、
ことを特徴とする請求項５乃至８のいずれか１項に記載の電子通貨システム。
【請求項１０】
前記電子貨幣利用手段、前記契約手段及び前記電子貨幣発行手段のうち少なくとも一つは、前記電子貨幣に追加情報を付加する手段を備え、
前記電子貨幣利用手段、前記契約手段及び前記電子貨幣発行手段のうち少なくとも一つは、前記電子貨幣に付加された前記追加情報を取得する手段を備える、
ことを特徴とする請求項５乃至９のいずれか１項に記載の電子通貨システム。
【請求項１１】
前記契約手段は、前記電子貨幣に付加された前記追加情報を取得し、該追加情報に基づいて、該電子貨幣を受領するか否かを決定する手段を備える、
ことを特徴とする請求項１０に記載の電子通貨システム。
【請求項１２】
前記電子貨幣発生手段は、前記電子貨幣に、該電子貨幣を生成した日時を表す時刻情報を付加する手段を備え、
前記電子貨幣利用手段は、前記電子貨幣に、該電子貨幣を譲渡した日時を表す時刻情報を付加する手段を備え、
前記契約手段は、前記電子貨幣に付加された前記時刻情報に基づいて、該電子貨幣を受領するか否かを決定する手段を備える、
ことを特徴とする請求項５乃至９のいずれか１項に記載の電子通貨システム。
【請求項１３】
前記電子貨幣利用手段は、前記電子貨幣に、該電子貨幣を譲渡したことを表す裏書情報を付加する手段を備え、
前記契約手段は、前記電子貨幣に付加された前記裏書情報に基づいて、該電子貨幣を受領するか否かを決定する手段を備える、
ことを特徴とする請求項５乃至９のいずれか１項に記載の電子通貨システム。
【請求項１４】
前記裏書情報は、前記電子貨幣を譲渡者を特定する譲渡者情報と、前記電子貨幣を譲受者を特定する譲受者情報と、を含み、前記譲渡者情報は、該譲渡者情報が、前記譲渡者により作成されたものであることを証する署名情報を含む、
ことを特徴とする請求項１３に記載の電子通貨システム。
【請求項１５】
少なくとも一つの前記電子貨幣利用手段は、自らが保管する前記電子貨幣をコンピュータ読み取り可能な記録媒体に移転する譲渡手段を備え、
少なくとも一つの前記電子貨幣利用手段は、前記記録媒体に移転されている前記電子貨幣を取得する譲受手段を備える、
ことを特徴とする請求項５乃至１４のいずれか１項に記載の電子通貨システム。
【請求項１６】
各前記電子貨幣利用手段は、前記電子貨幣を、各々に固有の暗号化キーを用いて暗号化して保存する手段を備え、
前記譲渡手段を備える電子貨幣利用手段は、前記記録媒体に移転される前記電子貨幣を示す第１の移転データを前記電子貨幣発生手段に供給する手段を備え、
前記譲受手段を備える電子貨幣利用手段は、前記記録媒体から取得した前記電子貨幣を示す第２の移転データを前記電子貨幣発生手段に供給する手段を備え、
前記電子貨幣発生手段は、前記第１及び第２の移転データが実質的に同一の前記電子貨幣を表すか否かを判別し、表すと判別されたとき、前記第２の移転データが示す前記電子貨幣の価額と実質的に等しい価額の電子貨幣を生成して、前記第２の移転データを供給した前記電子貨幣利用手段に供給する手段を備える、
ことを特徴とする請求項１５に記載の電子通貨システム。
【請求項１７】
前記電子貨幣発行手段は、前記権利情報及び前記所定の価額を含む所定事項を記入するための書面を表す発行請求書面データを前記電子貨幣利用手段に送信する手段を備え、
前記電子貨幣発行請求手段は、
前記発行請求書面データが表す前記書面を表示画面上に表示する手段と、
前記権利情報を取得し、前記表示画面上に表示されている前記書面に前記所定事項を記入する手段と、
前記書面に記入された前記所定事項を前記電子貨幣発行手段に送信することにより前記電子貨幣の発行の請求を行う手段と、を備える、
ことを特徴とする請求項５乃至１６のいずれか１項に記載の電子通貨システム。
【請求項１８】
前記電子貨幣発行請求手段に接続された発行請求用サーバを備え、
前記発行請求書面データには固有のリソースロケータが付されており、
前記電子貨幣発行請求手段は、前記発行請求用サーバに前記リソースロケータを送信する手段を備え、
前記発行請求用サーバは、前記電子貨幣発行請求手段より受信した前記リソースロケータを付された前記発行請求書面データを前記電子貨幣発行手段より取得して前記電子貨幣発行請求手段に送信する手段を備える、
ことを特徴とする請求項１７に記載の電子通貨システム。
【請求項１９】
前記発行請求用サーバは、前記電子貨幣発行手段を備える、
ことを特徴とする請求項１８に記載の電子通貨システム。
【請求項２０】
前記契約手段は、前記電子貨幣を含む申込事項を記入するための申込書面を表す申込書面データを前記電子貨幣利用手段に送信する手段を備え、
前記契約申込手段は、
前記申込書面データが表す前記申込書面を表示画面上に表示する手段と、
前記電子貨幣を取得し、前記表示画面上に表示されている前記申込書面に前記申込事項を記入する手段と、
前記申込書面に記入された前記申込事項を前記電子貨幣発行手段に送信することにより前記商品の給付の契約の締結の申込を行う手段と、を備える、
ことを特徴とする請求項５乃至１９のいずれか１項に記載の電子通貨システム。
【請求項２１】
前記契約申込手段に接続された申込用サーバを備え、
前記申込書面データには固有のリソースロケータが付されており、
前記契約申込手段は、前記申込用サーバに前記リソースロケータを送信する手段を備え、
前記申込用サーバは、前記契約申込手段より受信した前記リソースロケータを付された前記申込書面データを前記契約手段より取得して前記契約申込手段に送信する手段を備える、
ことを特徴とする請求項２０に記載の電子通貨システム。
【請求項２２】
前記申込用サーバは、前記契約手段を備える、
ことを特徴とする請求項２１に記載の電子通貨システム。
【請求項２３】
前記契約手段は、前記電子貨幣利用手段より提示された前記電子貨幣を示す情報を前記電子貨幣発行手段に通知する手段を備え、
前記電子貨幣発行手段は、
生成された前記電子貨幣を示す情報が記載されたリストを記憶する手段と、
前記契約手段から通知された前記電子貨幣を示す情報が前記リストに記載されているか否かを判別し、判別結果を前記契約手段に通知する手段と、を備える、
ことを特徴とする請求項５乃至２２のいずれか１項に記載の電子通貨システム。
【請求項２４】
外部のネットワークに接続された電子貨幣発行用サーバと、前記ネットワークに接続された契約用サーバと、前記ネットワークに接続された１個以上の電子貨幣利用用端末とからなる電子通貨システムであって、
前記電子貨幣利用用端末のうち少なくとも一つは、貨幣の電子的象徴である電子貨幣の発行請求権を表す権利情報を入力し、前記ネットワークを介して前記貨幣発行用サーバに前記権利情報を提示して、所定の価額の前記電子貨幣の発行の請求を行い、
前記電子貨幣発行用サーバは、前記電子貨幣利用用端末からの前記権利情報の提示及び前記電子貨幣の発行の請求を受け付け、前記権利情報が前記所定の価額以上の額の前記電子貨幣の発行請求権を表すものであるか否かを判別し、表すと判別したときに、前記所定の価額の前記電子貨幣を生成して、前記電子貨幣利用用端末に供給し、
前記電子貨幣利用用端末のうち少なくとも一つは、前記契約用サーバに前記電子貨幣の提示を行い、
前記契約用サーバは、
前記電子貨幣利用用端末からの前記電子貨幣の提示を検知し、提示された前記電子貨幣のうち、所定価格に相当する額の前記電子貨幣を受領し、
前記電子貨幣利用用端末より受領した前記電子貨幣の総額が前記所定価格を超える超過額を計算し、
該超過額を示す情報と、該超過額を超える価額の前記電子貨幣とを前記電子貨幣発行用サーバに供給し、
前記電子貨幣発行用サーバは、前記超過額を超える価額の前記電子貨幣を無効なものとし、前記超過額に実質的に等しい価額の第１の電子貨幣と、無効なものとされた前記電子貨幣の価額と前記超過額との差額に実質的に等しい価額の第２の電子貨幣とを生成して、前記第１及び第２の電子貨幣を前記契約用サーバに供給し、
前記契約用サーバは、前記第１及び第２の電子貨幣を受領して、前記第２の電子貨幣を前記電子貨幣利用用端末に供給する、
ことを特徴とする電子通貨システム。
【手続補正２】
【補正対象書類名】明細書
【補正対象項目名】００１８
【補正方法】変更
【補正の内容】
【００１８】
このような電子通貨システムによれば、前記電子貨幣自体が財産的価値を表す。また、前記電子貨幣発生部が発生する前記電子貨幣を、前記識別符号と実質的に無関係なものとし、また前記識別符号を匿名性を保って流通させることにより、前記電子貨幣の発生元及び過去の行使者の匿名性を保ちつつ、前記電子貨幣の交換が行われる。
また、この発明の第５の観点にかかる電子通貨システムは、
外部のネットワークに接続された電子貨幣発行手段と、前記ネットワークに接続された契約手段と、前記ネットワークに接続された１個以上の電子貨幣利用手段とからなる電子通貨システムであって、
前記電子貨幣利用手段のうち少なくとも一つは、貨幣の電子的象徴である電子貨幣の発行請求権を表す権利情報を入力し、前記ネットワークを介して前記電子貨幣発行手段に前記権利情報を提示して、所定の価額の前記電子貨幣の発行の請求を行う電子貨幣発行請求手段を備え、
前記電子貨幣発行手段は、前記電子貨幣利用手段からの前記権利情報の提示及び前記電子貨幣の発行の請求を受け付け、前記権利情報が前記所定の価額以上の額の前記電子貨幣の発行請求権を表すものであるか否かを判別し、表すと判別したときに、前記所定の価額の前記電子貨幣を生成して、前記電子貨幣利用手段に供給する手段を備え、
前記電子貨幣利用手段のうち少なくとも一つは、前記所定の価額の前記電子貨幣を受領して保存し、前記契約手段に前記電子貨幣の提示を行い、商品の給付の契約の締結の申込を行う契約申込手段を備え、
前記契約手段は、
前記電子貨幣利用手段からの前記電子貨幣の提示及び前記契約の締結の申込を検知し、提示された前記電子貨幣のうち、前記商品の価格に相当する額の前記電子貨幣を受領する契約承諾手段と、
前記電子貨幣利用手段より受領した前記電子貨幣の総額が前記商品の価格を超える超過額を計算する手段と、
該超過額を示す情報と、該超過額を超える価額の前記電子貨幣とを前記電子貨幣発行手段に供給する手段と、を備え、
前記電子貨幣発行手段は、前記超過額を超える価額の前記電子貨幣を無効なものとし、前記超過額に実質的に等しい価額の第１の電子貨幣と、無効なものとされた前記電子貨幣の価額と前記超過額との差額に実質的に等しい価額の第２の電子貨幣とを生成して、前記第１及び第２の電子貨幣を前記契約手段に供給する手段を備え、
前記契約手段は、前記第１及び第２の電子貨幣を受領して、前記第２の電子貨幣を前記電子貨幣利用手段に供給する手段を備える、
ことを特徴とする。
また、この発明の第６の観点にかかる電子通貨システムは、
外部のネットワークに接続された電子貨幣発行手段と、前記ネットワークに接続された契約手段と、前記ネットワークに接続された１個以上の電子貨幣利用手段とからなる電子通貨システムであって、
前記電子貨幣利用手段のうち少なくとも一つは、貨幣の電子的象徴である電子貨幣の発行請求権を表す権利情報を入力し、前記ネットワークを介して前記電子貨幣発行手段に前記権利情報を提示して、所定の価額の前記電子貨幣の発行の請求を行う電子貨幣発行請求手段を備え、
前記電子貨幣発行手段は、前記電子貨幣利用手段からの前記権利情報の提示及び前記電子貨幣の発行の請求を受け付け、前記権利情報が前記所定の価額以上の額の前記電子貨幣の発行請求権を表すものであるか否かを判別し、表すと判別したときに、前記所定の価額の前記電子貨幣を生成して、前記電子貨幣利用手段に供給する手段を備え、
前記電子貨幣利用手段のうち少なくとも一つは、前記所定の価額の前記電子貨幣を受領して保存し、前記契約手段に前記電子貨幣の提示を行い、商品の給付の契約の締結の申込を行う契約申込手段を備え、
前記契約手段は、前記電子貨幣利用手段からの前記電子貨幣の提示及び前記契約の締結の申込を検知し、提示された前記電子貨幣のうち、前記商品の価格に相当する額の前記電子貨幣を受領する契約承諾手段を備え、
前記電子貨幣利用手段は、前記電子貨幣を、総額が該電子貨幣の価額に実質的に等しい複数の価額を表す分割情報と共に前記電子貨幣発行手段に供給する手段を備え、
前記電子貨幣発行手段及び前記契約手段のうち少なくとも一方は、前記分割情報と共に供給された前記電子貨幣を無効なものとし、前記分割情報が示す価額を有する複数の前記電子貨幣を生成して前記電子貨幣利用手段に供給する手段を備える、
ことを特徴とする。
前記契約手段は、前記電子貨幣利用手段より受領した前記電子貨幣の総額が前記商品の価格を超える超過額を計算する手段と、総額が前記超過額に相当する前記電子貨幣を自らが既に保持しているか否かを判別し、保持していると判別されたとき、総額が該超過額に相当する前記電子貨幣を前記電子貨幣利用手段に供給する手段と、を備えるものであってもよい。
前記電子貨幣発行手段は、前記電子貨幣利用手段より受け付けた前記権利情報が前記所定の価額を超える額の前記電子貨幣の発行請求権を表すものであるか否かを判別し、超えると判別して以後、該権利情報を、超えると判別される前に表していた価額から前記所定の価額を差し引いた価額の電子貨幣の発行請求権を表すものとして扱うものであってもよい。
前記契約手段は、前記商品を前記電子貨幣利用手段に供給する手段を備えるものであってもよい。
前記電子貨幣利用手段、前記契約手段及び前記電子貨幣発行手段のうち少なくとも一つは、前記電子貨幣に追加情報を付加する手段を備え、前記電子貨幣利用手段、前記契約手段及び前記電子貨幣発行手段のうち少なくとも一つは、前記電子貨幣に付加された前記追加情報を取得する手段を備えるものであってもよい。
前記契約手段は、前記電子貨幣に付加された前記追加情報を取得し、該追加情報に基づいて、該電子貨幣を受領するか否かを決定する手段を備えるものであってもよい。
前記電子貨幣発生手段は、前記電子貨幣に、該電子貨幣を生成した日時を表す時刻情報を付加する手段を備え、前記電子貨幣利用手段は、前記電子貨幣に、該電子貨幣を譲渡した日時を表す時刻情報を付加する手段を備え、前記契約手段は、前記電子貨幣に付加された前記時刻情報に基づいて、該電子貨幣を受領するか否かを決定する手段を備えるものであってもよい。
前記電子貨幣利用手段は、前記電子貨幣に、該電子貨幣を譲渡したことを表す裏書情報を付加する手段を備え、前記契約手段は、前記電子貨幣に付加された前記裏書情報に基づいて、該電子貨幣を受領するか否かを決定する手段を備えるものであってもよい。
前記裏書情報は、前記電子貨幣を譲渡者を特定する譲渡者情報と、前記電子貨幣を譲受者を特定する譲受者情報と、を含み、前記譲渡者情報は、該譲渡者情報が、前記譲渡者により作成されたものであることを証する署名情報を含むものであってもよい。
少なくとも一つの前記電子貨幣利用手段は、自らが保管する前記電子貨幣をコンピュータ読み取り可能な記録媒体に移転する譲渡手段を備え、少なくとも一つの前記電子貨幣利用手段は、前記記録媒体に移転されている前記電子貨幣を取得する譲受手段を備えるものであってもよい。
各前記電子貨幣利用手段は、前記電子貨幣を、各々に固有の暗号化キーを用いて暗号化して保存する手段を備えていてもよく、前記譲渡手段を備える電子貨幣利用手段は、前記記録媒体に移転される前記電子貨幣を示す第１の移転データを前記電子貨幣発生手段に供給する手段を備えていてもよく、前記譲受手段を備える電子貨幣利用手段は、前記記録媒体から取得した前記電子貨幣を示す第２の移転データを前記電子貨幣発生手段に供給する手段を備えていてもよく、前記電子貨幣発生手段は、前記第１及び第２の移転データが実質的に同一の前記電子貨幣を表すか否かを判別し、表すと判別されたとき、前記第２の移転データが示す前記電子貨幣の価額と実質的に等しい価額の電子貨幣を生成して、前記第２の移転データを供給した前記電子貨幣利用手段に供給する手段を備えるものであってもよい。
前記電子貨幣発行手段は、前記権利情報及び前記所定の価額を含む所定事項を記入するための書面を表す発行請求書面データを前記電子貨幣利用手段に送信する手段を備えていてもよく、前記電子貨幣発行請求手段は、前記発行請求書面データが表す前記書面を表示画面上に表示する手段と、前記権利情報を取得し、前記表示画面上に表示されている前記書面に前記所定事項を記入する手段と、前記書面に記入された前記所定事項を前記電子貨幣発行手段に送信することにより前記電子貨幣の発行の請求を行う手段と、を備えるものであってもよい。
前記電子貨幣発行請求手段に接続された発行請求用サーバを備えていてもよく、前記発行請求書面データには固有のリソースロケータが付されていてもよく、前記電子貨幣発行請求手段は、前記発行請求用サーバに前記リソースロケータを送信する手段を備えていてもよく、前記発行請求用サーバは、前記電子貨幣発行請求手段より受信した前記リソースロケータを付された前記発行請求書面データを前記電子貨幣発行手段より取得して前記電子貨幣発行請求手段に送信する手段を備えるものであってもよい。
前記発行請求用サーバは、前記電子貨幣発行手段を備えるものであってもよい。
前記契約手段は、前記電子貨幣を含む申込事項を記入するための申込書面を表す申込書面データを前記電子貨幣利用手段に送信する手段を備えていてもよく、前記契約申込手段は、前記申込書面データが表す前記申込書面を表示画面上に表示する手段と、前記電子貨幣を取得し、前記表示画面上に表示されている前記申込書面に前記申込事項を記入する手段と、前記申込書面に記入された前記申込事項を前記電子貨幣発行手段に送信することにより前記商品の給付の契約の締結の申込を行う手段と、を備えるものであってもよい。
前記契約申込手段に接続された申込用サーバを備えていてもよく、前記申込書面データには固有のリソースロケータが付されていてもよく、前記契約申込手段は、前記申込用サーバに前記リソースロケータを送信する手段を備えていてもよく、前記申込用サーバは、前記契約申込手段より受信した前記リソースロケータを付された前記申込書面データを前記契約手段より取得して前記契約申込手段に送信する手段を備えるものであってもよい。
前記申込用サーバは、前記契約手段を備えるものであってもよい。
前記契約手段は、前記電子貨幣利用手段より提示された前記電子貨幣を示す情報を前記電子貨幣発行手段に通知する手段を備えていてもよく、前記電子貨幣発行手段は、生成された前記電子貨幣を示す情報が記載されたリストを記憶する手段と、前記契約手段から通知された前記電子貨幣を示す情報が前記リストに記載されているか否かを判別し、判別結果を前記契約手段に通知する手段と、を備えるものであってもよい。
また、この発明の第７の観点にかかる電子通貨システムは、
外部のネットワークに接続された電子貨幣発行用サーバと、前記ネットワークに接続された契約用サーバと、前記ネットワークに接続された１個以上の電子貨幣利用用端末とからなる電子通貨システムであって、
前記電子貨幣利用用端末のうち少なくとも一つは、貨幣の電子的象徴である電子貨幣の発行請求権を表す権利情報を入力し、前記ネットワークを介して前記貨幣発行用サーバに前記権利情報を提示して、所定の価額の前記電子貨幣の発行の請求を行い、
前記電子貨幣発行用サーバは、前記電子貨幣利用用端末からの前記権利情報の提示及び前記電子貨幣の発行の請求を受け付け、前記権利情報が前記所定の価額以上の額の前記電子貨幣の発行請求権を表すものであるか否かを判別し、表すと判別したときに、前記所定の価額の前記電子貨幣を生成して、前記電子貨幣利用用端末に供給し、
前記電子貨幣利用用端末のうち少なくとも一つは、前記契約用サーバに前記電子貨幣の提示を行い、
前記契約用サーバは、
前記電子貨幣利用用端末からの前記電子貨幣の提示を検知し、提示された前記電子貨幣のうち、所定価格に相当する額の前記電子貨幣を受領し、
前記電子貨幣利用用端末より受領した前記電子貨幣の総額が前記所定価格を超える超過額を計算し、
該超過額を示す情報と、該超過額を超える価額の前記電子貨幣とを前記電子貨幣発行用サーバに供給し、
前記電子貨幣発行用サーバは、前記超過額を超える価額の前記電子貨幣を無効なものとし、前記超過額に実質的に等しい価額の第１の電子貨幣と、無効なものとされた前記電子貨幣の価額と前記超過額との差額に実質的に等しい価額の第２の電子貨幣とを生成して、前記第１及び第２の電子貨幣を前記契約用サーバに供給し、
前記契約用サーバは、前記第１及び第２の電子貨幣を受領して、前記第２の電子貨幣を前記電子貨幣利用用端末に供給する、
ことを特徴とする。